(57)【特許請求の範囲】
【請求項１】
スポイト管(29)を有し、該スポイト管(29)の管本体(30)を閉姿勢で容器体(36)内に垂下位置させるスポイト付きキャップであって、上端部に操作釦(12)を、抜け出し不能かつ突出状に昇降変位自在に内装し、下半部で前記容器体(36)の口部(37)に螺合により着脱する外筒(4) の中央部に、内鍔状の隔壁(6) を介して内筒(7) を連設したキャップ本体(2) と、主体筒(17)に、中央に通気孔(19)を開設した頂板(18)を連設すると共に、前記主体筒(17)の外周面に鍔筒片(20)を周設し、該鍔筒片(20)で前記外筒(4) の上半部に不動に内装組付きする組付き支持体(16)と、該組付き支持体(16)の主体筒(17)に上方から密に外装組付きし、前記操作釦(12)で押し潰し操作される半球殻状の弾性ドーム(21)と、前記組付き支持体(16)の主体筒(17)に下方から密に外装組付きし、前記主体筒(17)内に立ち上がり位置する伸縮筒部(24)の中央部に、通気開口(26)を開設した嵌着筒片(25)を垂設した弾性材製のベロー体(23)と、該ベロー体(23)の伸縮筒部(24)中央部と前記組付き支持体(16)の頂板(18)中央部との間に装着され、前記伸縮筒部(24)中央部を下方に付勢するばね(28)と、前記管本体(30)の上端部に、前記容器体(36)の口部(37)上端面に対向する大きさの鍔片(31)を周設し、該鍔片(31)より上方に突出した組付き筒部(33)を、前記内筒(7) に対して抜け出し不能であるが昇降変位可能に嵌入組付けし、前記内筒(7) から上方に突出した前記組付き筒部(33)の上端部を、前記ベロー体(23)の嵌着筒片(25)に密に外嵌組付けしたスポイト管(29)と、から成るスポイト付きキャップ。
【請求項２】
内筒(7) の内周面にキー縦溝(8) を設けると共に、前記内筒(7) の上端部を上方に縮径した縮径先端部(9) とし、スポイト管(29)の組付き筒部(33)の外周面下部に、前記キー縦溝(8) に周方向から係止するキー縦条(34)を突設すると共に、前記内筒(7) から上方に突出した組付き筒部(33)の上端部外周面に、前記縮径先端部(9) の上端が乗り越え不能に下方から突き当たるストッパー突条(35)を設けた請求項１記載のスポイト付きキャップ。
【請求項３】
キャップ本体(2) を、外筒(4) と内筒(7) とを有する本体筒(3) と、該本体筒(3) の外筒(4) に外装組付けされ、上端部に操作釦(12)を内装組付けした金属製のカバー筒(10)と、から構成した請求項１または２記載のスポイト付きキャップ。
【請求項４】
容器体(36)の口部(37)開口部に対向するスポイト管(29)の鍔片(31)部分に、上下に貫通する通孔(32)を開設した請求項１または２または３記載のスポイト付きキャップ。
【発明の詳細な説明】
【０００１】
【発明の属する技術分野】
本発明は、容器体内に収納された化粧水とか薬液等の内容液を、スポイト機能により取り出すことができるスポイト付きキャップに関するものである。
【０００２】
【従来の技術】
スポイト付きキャップの従来技術の代表例として、実開平５−１０２５８号公報に開示された構造、すなわち容器に対する螺合組付き部分を構成すると共に、スポイト管と弾性吸引体との組合せ物であるスポイト機能部を組付けた内蓋と、この内蓋に対して、抜け出し不能かつ一定角度だけ回動自在に組付き、内蓋に対する回動により弾性吸引体操作用の釦を昇降変位する外蓋と、を組合せて構成したものが知られている。
【０００３】
この従来技術にあっては、容器の閉状態では、釦が弾性吸引体を押し潰した状態にあり、この閉状態から外蓋を開方向に回動させると、釦が上昇して弾性吸引体を原形復帰させてスポイト管に内容液を吸引し、次いで内蓋が螺脱回動して、キャップは容器から離脱するので、このキャップを持って釦を操作して吸引した内容液を目的箇所に注出する。
【０００４】
【発明が解決しようとする課題】
しかしながら、上記した従来技術にあっては、容器の閉状態では、弾性吸引体が潰れ姿勢のままに保持されるので、弾性吸引体がどうしても早期に弾性疲労または変形疲労することになり、これによりスポイト機能が早期に劣化すると云う問題があった。
【０００５】
また、キャップを構成する内蓋と外蓋とは、相互に回動変位可能に組付く必要があると共に、この相互回動組付きは、内蓋と外蓋とを相対回動させるのに要する操作力に比べて、内蓋を容器から螺脱させるのに要する回動操作力の方が確実に大きいと云う関係を満たす必要があり、このため内蓋と外蓋との組付き構造および組付き強度の設定が面倒となると云う問題があった。
【０００６】
そこで、本発明は、上記した従来技術における問題点を解消すべく創案されたもので、弾性ドームの弾性変形とは別に、キャップの容器体に対する螺脱動作を利用して、スポイト管への内容液の定量吸引を達成することを技術的課題とし、もって内容液吸引力の発生源である弾性ドームの変形疲労の発生を皆無として、長期間にわたって安定して良好なスポイト機能を発揮できるようにし、また螺脱に伴う上下方向への相対変位に従って、スポイト機能部が内容液を吸引する構成とすることにより、構造および取扱いを簡単化させることを目的とする。
【０００７】
【課題を解決するための手段】
上記技術的課題を解決する本発明の内、請求項１記載の発明の手段は、
スポイト管を有し、このスポイト管の管本体を閉姿勢で容器体内に垂下位置させるスポイト付きキャップであること、
上端部に操作釦を、抜け出し不能かつ突出状に昇降変位自在に内装し、下半部で容器体の口部に螺合により着脱する外筒の中央部に、内鍔状の隔壁を介して内筒を連設したキャップ本体を有すること、
主体筒に、中央に通気孔を開設した頂板を連設すると共に、主体筒の外周面に鍔筒片を周設し、この鍔筒片でキャップ本体の外筒の上半部に不動に内装組付きする組付き支持体を有すること、
この組付き支持体の主体筒に上方から密に外装組付きし、操作釦で押し潰し操作される半球殻状の弾性ドームを有すること、
組付き支持体の主体筒に下方から密に外装組付きし、主体筒内に立ち上がり位置する伸縮筒部の中央部に、通気開口を開設した嵌着筒片を垂設した弾性材製のベロー体を有すること、
このベロー体の伸縮筒部中央部と組付き支持体の頂板中央部との間に装着され、ベロー体の伸縮筒部中央部を下方に付勢するばねを有すること、
直線細管状の管本体の上端部に、容器体の口部上端面に対向する大きさの鍔片を周設し、この鍔片より上方に突出した組付き筒部を、キャップ本体の内筒に対して抜け出し不能であるが昇降変位可能に嵌入組付けし、キャップ本体の内筒から上方に突出した組付き筒部の上端部を、ベロー体の嵌着筒片に密に外嵌組付けしたスポイト管を有すること、
にある。
【０００８】
閉姿勢状態では、スポイト管の管本体を容器体内に垂下状に位置させたスポイト付きキャップは、容器体の口部に対するキャップ本体の螺合組付き力により、ばねの弾力に逆らって、ベロー体とスポイト管との組合せ物である第二の組合せ物を、キャップ本体と操作釦と組付け支持体と弾性ドームとの組合せ物である第一の組合せ物に対して、ベロー体の中央部が組付け支持体の主体筒内に最も深く侵入する第一の侵入位置に位置させている。
【０００９】
閉姿勢状態からキャップ本体を螺脱方向に回動させると、この回動により、第一の組合せ物は容器体に対して上昇変位するものの、第二の組合せ物は、ばねの作用により容器体に対して上昇変位せず、第一の組合せ物と第二の組合せ物との間に昇降方向に沿った相対変位が発生する。
【００１０】
この第一の組合せ物と第二の組合せ物との間の相対変位により、ベロー体の中央部が組付け支持体の主体筒に対して第一の侵入位置から、侵入程度の浅い第二の侵入位置に変位し、これにより組付け支持体と弾性ドームとベロー体との組合せが形成するスポイト空間に負圧が発生する。
【００１１】
このスポイト空間の負圧は、ベロー体の通気開口を通してスポイト管の管本体内に作用し、容器体の内容液を管本体内に吸引する。
【００１２】
第一の組合せ物と第二の組合せ物との間の相対変位は、キャップ本体の内筒に対するスポイト管の抜け出し不能な突き当たりにより停止し、以降は両組合せ物は螺脱回動に従って容器体に対して一緒に上昇変位し、これによりスポイト付きキャップの容器体からの離脱が達成される。
【００１３】
このように、容器体から取り外した状態で、スポイト付きキャップのスポイト管には所望量の内容液が吸引収納されているので、使用者は、取り外したスポイト付きキャップに対して、操作釦を押し下げて弾性ドームを押し潰す内容液注出処理を施して、内容液の注出を達成する。
【００１４】
スポイト付きキャップを容器体の口部に螺合組付けしてゆくと、容器体に対するキャップ本体の螺合の進行に従って、ばねの弾力に逆らって、第一の組合せ物に対して第二の組合せ物が相対的に上昇し、ベロー体の中央部が組付け支持体の主体筒に対して第一の侵入位置まで侵入し、当初の閉姿勢状態に復帰する。
【００１５】
このスポイト付きキャップの閉姿勢状態への復帰に際して、ベロー体の中央部の組付け支持体の主体筒に対する第一の侵入位置までの侵入により、例えスポイト管内に内容液が残留していても、スポイト管内の内容液は強制的に排出されることになり、これによりスポイト付きキャップは、常に一定した状態、すなわちスポイト管内に内容液を全く位置させていない状態で待機することになる。
【００１６】
請求項２記載の発明は、請求項１記載の発明に、キャップ本体の内筒の内周面にキー縦溝を設けると共に、内筒の上端部を上方に縮径した縮径先端部とし、スポイト管の組付き筒部の外周面下部に、キャップ本体のキー縦溝に周方向から係止するキー縦条を突設すると共に、キャップ本体の内筒から上方に突出した組付き筒部の上端部外周面に、キャップ本体の縮径先端部の上端が乗り越え不能に下方から突き当たるストッパー突条を設けた、ことを加えたものである。
【００１７】
この請求項２記載の発明にあっては、縮径先端部のストッパー突条に対する下方からの突き当たりと、スポイト管の鍔片に対するキャップ本体の隔壁の上方からの突き当たりとにより、第一の組合せ物に対する第二の組合せ物の抜け出し不能な一定ストロークでの昇降変位可能な組付きを達成する他に、キー縦溝に対するキー縦条の係合により、第一の組合せ物と第二の組合せ物との相対回動を不能としたので、伸縮変形するベロー体に回動変位力を作用させることがなく、これによりベロー体を安全に伸縮動作させることができる。
【００１８】
請求項３記載の発明は、請求項１記載の発明に、キャップ本体を、外筒と内筒とを有する本体筒と、この本体筒の外筒に外装組付けされ、上端部に操作釦を内装組付けしたカバー筒と、から構成した、ことを加えたものである。
【００１９】
この請求項３記載の発明にあっては、本体筒に外嵌組付けされるカバー筒を金属製としたので、カバー筒の優れた装飾性をキャップ本体の外観体裁に有効に作用させることができ、また単純な挿入処理により操作釦を内装組付けしたカバー筒を、簡単な嵌装処理により本体筒に外嵌組付けするだけで、キャップ本体に対する操作釦の抜け出し不能かつ突出状に昇降変位可能な組付けを達成することができることになる。
【００２０】
請求項４記載の発明は、請求項１記載の発明に、容器体の口部開口部に対向するスポイト管の鍔片部分に、上下に貫通する通孔を開設した、ことを加えたものである。
【００２１】
この請求項４記載の発明にあっては、第一の組合せ物と第二の組合せ物との相対昇降変位により発生する、スポイト空間の容積の増減変化に伴う容器体に対する空気の出入りを、ばねの力により容器体の口部上端面に略密接しているスポイト管の鍔片が邪魔しないようにし、これによりスポイト付きキャップの容器体に対する着脱操作に伴う、スポイト機能部による内容液の吸引または吐出が円滑にかつ確実に行われるようにしている。
【００２２】
【発明の実施の形態】
以下、本発明の一実施例を、図面を参照しながら説明する。
スポイト付きキャップ１は、第一の組合せ物である、キャップ本体２と操作釦１２と組付け支持体１６とそして弾性ドーム２１との組合せ物と、第二の組合せ物である、ベロー体２３とスポイト管２９との組合せ物と、組付け支持体１６とベロー体２３との間に装着されて、ベロー体２３を下方に付勢するばね２８とから構成され、図２に示すように、キャップ本体２に、操作釦１２を突出状に内装組付けすると共に、スポイト管２９を垂下状に組付けている。
【００２３】
容器体３６に対する螺合組付き部分と、スポイト管２９の組付け部分を形成するキャップ本体２は、その主体部分である本体筒３と、優れた装飾性を発揮する金属製のカバー筒１０とから構成されている。
【００２４】
本体筒３は、下半部内周面に、容器体３６の口部３７に螺合する螺条５を刻設した円筒状の外筒４の内周面中央に、内鍔状の隔壁６を介して内筒７を同軸心状に起立連設して構成され、外筒４の上半部と隔壁６とにより組付け支持体１６の組付け部を形成し、内筒７でスポイト管２９の組付け部を形成している。
【００２５】
カバー筒１０は、上方にわずかに縮径した円筒体の上端に、内側に屈曲反転した形態で内鍔筒片１１を一体成形し、この内鍔筒片１１により、内装された操作釦１２の上方への抜け出しを阻止している。
【００２６】
組付け支持体１６は、円筒形状をした主体筒１７の内周面上端部に、中央に上下に貫通した通気孔１８を連設し、主体筒１７の外周面の略中央部分に、この主体筒１７の外周面との間に上方に開放した周溝を形成する鍔筒片２０を突周設して構成されている。
【００２７】
この組付け支持体１６は、鍔筒片２０を外筒４の内周面中央部に強固に嵌入係止させて、本体筒３に対して組付けられる。
【００２８】
弾性ドーム２１は、ゴム等の弾性材により、周端部分を肉厚な組付き縁部２２とした半球殻状に成形されており、組付き縁部２８を鍔筒片２０が形成する組付き周溝に強固にかつ密に嵌入組付けすることにより、組付け支持体１６に、頂板１８との間にスポイト空間の上半部分を形成して搭載状に組付く。
【００２９】
弾性ドーム２１を押し潰し操作する操作釦１２は、キャップ本体２の上端部内に嵌入可能な有頂筒体の頂壁下面中央から、弾性ドーム２１に押し潰し力を作用させる押圧足片１３を垂設すると共に、この有頂筒体の周壁下端に拡径してガイド筒片１４を垂設した構成となっており、有頂筒体の周壁のカバー筒１０の内鍔筒片１１に対する、およびガイド筒片１４の外筒４上端部に対する軽い摺接により、キャップ本体２に対する昇降変位動作を安定させ、またカバー筒１０の内鍔筒片１１に対する、ガイド筒片１４の上端面である係止段部１５の下方からの係止により、キャップ本体２に対する抜け出し不能な組付きを達成している。
【００３０】
ベロー体２３は、ゴム等の弾性材により、肉厚に成形された周端部分である嵌着縁部２７を、組付け支持体１６の主体筒１７の下端部に、鍔筒片２０に下方から当接した状態で密に外嵌組付けし、この嵌着縁部２７の下端から、反転して立ち上がった状態で主体筒１７内に位置する有頂筒形状の伸縮筒部２４を連設し、この伸縮筒部２４の頂壁中央から、底壁に通気開口２６を開設した有底筒形状の嵌着筒片２５を垂下状に連設して構成され、組付け支持体１６の本体筒３に対する組付きにより、組付け支持体１６に対する密で強固な組付きが確保される。
【００３１】
ばね２８は、ベロー体２３の嵌着筒片２５に挿入可能な径寸法のコイルばね構造に成形されており、嵌着筒片２５に挿入組付けした状態で、通気開口２６の開口状態を害することなく、下端を嵌着筒片２５の底壁に弾接させ、同様に通気孔１９の開口状態を害することなく、上端を組付け支持体１６の頂板１８に弾接させ、常時ベロー体２３の伸縮筒部２４に押し下げ力を付勢している。
【００３２】
スポイト管２９は、直線細管状の管本体３０の上端に、通孔３２を上下に貫通させて開設した外鍔状の鍔片３１を周設し、この鍔片３１の上方に、管本体３０を延長させた形態で組付き筒部３３を起立連設し、この組付き筒部３３の下部外周面に、キャップ本体２の内筒７の内周面に設けたキー縦溝８に昇降変位自在に係合するキー縦条３４を刻設し、組付き筒部３３の上部外周面に、内筒７の上端部である縮径先端部９が下方から乗り越え不能に突き当たるストッパー突条３５を突周設して構成され、この組付き筒部３３の上端部に、ベロー体２３の嵌着筒片２５を強固に密嵌着して、ベロー体２３とスポイト管２９との組付きが達成される。
【００３３】
次に、図示実施例の組立て手順の一例を説明する。
本体筒３の内筒７に、スポイト管２９の組付き筒部３３を下方から、縮径先端部９がストッパー突条３５を強引に乗り越えるまで挿入し、内筒７上に突出した組付き筒部３３の上端部にベロー体２３の嵌着筒片２５を密に嵌着組付けして、第二の組合せ物の組立てを完了する。
【００３４】
ベロー体２３のスポイト管２９への組付けが完了したならば、ベロー体２３にばね２８を仮組み付けした状態で、弾性ドーム２１を組付けた組付け支持体１６を、ベロー体２３の嵌着縁部２７を主体筒１７の下部に嵌着させ、かつこの嵌着縁部２７を本体筒３との間で強固に挟持する形態で、本体筒３の外筒４上半部内に、アンダーカット結合を利用して装着固定する。
【００３５】
本体筒３に対する組付け支持体１６の組付けが完了したならば、操作釦１２を挿入組付けしたカバー筒１０を外筒４に上方から外嵌組付けして、スポイト付きキャップ１の組立てを完了する。
【００３６】
スポイト管２９の鍔片３１に開設された通孔３２は、図３の右半分の閉状態と図３の左半分の螺脱状態との間の変化の際に、鍔片３１が容器体３６の口部３７を密閉しないようにし、これにより第一の組合せ物と第二の組合せ物との相対昇降変位による、スポイト空間内の圧力変化に追従した容器体３６内の円滑な圧力変化を可能とし、容器体３６に対するキャップの螺合着脱操作に伴う、スポイト管２９への内容液の吸引および吐出が確実にかつ円滑に達成されるようにする。
【００３７】
なお、３８は容器体３６の口部３７に嵌入組付けされた軟質材料製のシゴキ体で、口部３７に密嵌入する嵌入筒の上端に、口部３７の上端面に搭載してシゴキ体３８の嵌入組付き限を設定する外フランジを周設し、嵌入筒の下端に、複数の鍵状に折れ曲がった連結腕片を介して、スポイト管２９の管本体３０の外周面に軽く弾接して、この管本体３０外周面に付着した内容液をシゴキ落とすシゴキリング３９を連設して構成されている。
【００３８】
【発明の効果】
本発明は、上記した構成となっているので、以下に示す効果を奏する。
弾性復帰力によりスポイト管への内容液の吸引を達成する弾性ドームは、内容液の吸引、吐出動作時にだけ弾性変形し、他は変形せずに自然に安定した姿勢となっているので、変形疲労等による不正変形、弾力劣化の発生する恐れがなく、もって良好で安定したスポイト機能を長期間にわたって確実に発揮する。
【００３９】
スポイト付きキャップの容器体に対する螺脱動作に伴う、二つの可動部分の相対的な昇降変位により、スポイト管への内容液の吸引を達成するので、二つの可動部分の間に操作力の大小関係を設定する必要がなく、もって全体構造を簡単化できると共に、その取扱い操作を簡単なものとすることができる。
【００４０】
請求項２記載の発明にあっては、キャップ本体に対してスポイト管を、単に離脱不能かつ昇降変位可能に組付けるだけではなく、相互に回動変位不能に組付けることにより、ベロー体に不要な回動力が作用することがなく、これによりベロー体に不要な変形を生じさせることなく、安定して適正なスポイト機能を発揮させることができる。
【００４１】
請求項３記載の発明にあっては、キャップ本体を、本体筒と単純な円筒形状のカバー筒との組合せ構造としたので、本体筒に外嵌するカバー筒を金属製とすることができ、これにより金属材料の持つ優れた装飾性を有効に発揮させることができる。
【００４２】
請求項４記載の発明にあっては、第一の組合せ物と第二の組合せ物との相対昇降変位に伴う、スポイト空間の圧力変化に対し、容器体内の圧力変化を速やかにかつ正確に追従変化するようにし、これにより容器体に対するキャップの着脱に伴うスポイト管の内容液吸引・吐出動作を、円滑にかつ確実に実現させることができる。
【図面の簡単な説明】
【図１】本発明の一実施例を容器体に組付けた、容器の閉状態全体正面図。
【図２】図１に示した本発明の実施例の、全体正面図。
【図３】図２に示した実施例の、容器本に組付けた閉状態の要部拡大縦断面図。
【図４】図２に示した実施例の、内筒と組付き筒部との組付き構造を示す、要部拡大平断面図。
【符号の説明】
１  ；  スポイト付きキャップ
２  ；  キャップ本体
３  ；  本体筒
４  ；  外筒
５  ；  螺条
６  ；  隔壁
７  ；  内筒
８  ；  キー縦溝
９  ；  縮径先端部
１０；  カバー筒
１１；  内鍔筒片
１２；  操作釦
１３；  押圧足片
１４；  ガイド筒片
１５；  係止段部
１６；  組付け支持体
１７；  主体筒
１８；  頂板
１９；  通気孔
２０；  鍔筒片
２１；  弾性ドーム
２２；  組付き縁部
２３；  ベロー体
２４；  伸縮筒部
２５；  嵌着筒片
２６；  通気開口
２７；  嵌着縁部
２８；  ばね
２９；  スポイト管
３０；  管本体
３１；  鍔片
３２；  通孔
３３；  組付き筒部
３４；  キー縦条
３５；  ストッパー突条
３６；  容器体
３７；  口部
３８；  シゴキ体
３９；  シゴキリング
【図１】
0004203869.tif 000002
【図２】
0004203869.tif 000003
【図３】
0004203869.tif 000004
【図４】
0004203869.tif 000005